(57)【要約】  ユーザに液体薬剤を送達する装置（１）が提供される。この装置（１）は、液体を収容するリザーバ（４、２０）、装置（１）から液体薬剤を送達するための出口開口（７）、及び装置（１）を一つ以上の少なくとも実質的に同一の別の装置（１）に接続する手段を備えている。これらの装置（１）は、装置（１）の各々が共通の出口（１９）と流体接続するように接続されており、これにより、この共通の出口（１９）は各装置（１）からの液体薬剤を送達する。一実施形態では、装置（１）は外部操作ユニット（１４）に接続することができ、この操作ユニット（１４）からの操作力を、装置（１）間で伝達させることができる。これにより、外部操作ユニット（１４）が、接続された装置（１）の全てを同時に操作することができる。装置（１）は、更に、バイアル（２）内に収容されている乾燥薬剤、例えば凍結乾燥された薬剤を再構成する。この装置（１）は、薬剤送達装置を構成する「ビルディングブロック」として使用することができ、薬剤の所望の投与量を送達するために適切な数の装置（１）が使用される。更に、少なくとも二つの接続された装置（１）を備えた装置アセンブリ（１０）が提供される。
2009529995.tif 000002
【特許請求の範囲】
【請求項１】
ユーザに液体薬剤を送達する装置であって、
−  液体を収容するリザーバ、
−  乾燥薬剤を収容する容器、
−  前記容器と前記リザーバの間に流体接続を確立することにより、前記リザーバから前記容器へと液体を通過させて液体薬剤を供給することができる手段、
−  前記装置から液体薬剤を送達するための出口開口、及び
−  各装置が共通の出口と流体接続するように、前記装置を一つ以上の他の少なくとも実質的に同一の装置に接続することにより、前記共通の出口から各装置の液体薬剤を送達可能にする手段
を備えている装置。
【請求項２】
少なくとも実質的に同一の別の装置の出口に接続可能な入口開口を更に備えている、請求項１に記載の装置。
【請求項３】
前記装置を外部操作ユニットに接続する手段、及び前記外部操作ユニットから前記装置に接続された少なくとも実質的に同一の別の装置に操作力を伝達する手段を更に備え、これにより、前記外部操作ユニットが、前記装置及び前記装置に接続された装置を操作可能である、請求項１又は２に記載の装置。
【請求項４】
前記操作力を伝達する手段が、機械的な力、空圧力又は液圧力の伝達機構を備えている、請求項３に記載の装置。
【請求項５】
前記操作力を伝達する手段がトルクを伝達する、請求項３又は４に記載の装置。
【請求項６】
前記操作力を伝達する手段が、少なくとも実質的に同一の別の装置に配置されたドライブシャフトに係合する少なくとも一つのドライブシャフトを備える、請求項５に記載の装置。
【請求項７】
前記外部操作ユニットがモータを含む、請求項３ないし６のいずれか一項に記載の装置。
【請求項８】
請求項１ないし７のいずれか一項に記載の装置を少なくとも二つ含む装置アセンブリであって、前記装置が、共通の出口を介して各装置から液体薬剤を送達することができるように相互接続されている装置アセンブリ。
【請求項９】
前記装置が直列に接続されている、請求項８に記載の装置アセンブリ。
【請求項１０】
外部操作ユニットに接続する手段を更に備え、装置間の接続が、装置間で操作力を伝達する手段を含むことにより、外部操作ユニットからの操作力を各装置に伝達可能である、請求項８又は９に記載の装置アセンブリ。
【請求項１１】
前記共通の出口からユーザに薬剤を送達する薬剤送達手段を更に備えている、請求項８ないし１０のいずれか一項に記載の装置アセンブリ。
【請求項１２】
前記薬剤送達手段が、共通の出口に着脱可能に取り付けられた共通のリザーバを備えている、請求項１１に記載の装置アセンブリ。
【発明の詳細な説明】
【発明の開示】
【０００１】
発明の分野
本発明は、液体薬剤をユーザに送達する装置であって、一つ以上の少なくとも実質的に同一の別の装置に接続可能である装置に関する。本発明は更に、二つ以上のそのような装置が相互に接続されたアセンブリに関する。
【０００２】
発明の背景
一回の注入に対して、流体点滴（ＩＶ）剤を収容する二つ以上のバイアルが必要である場合、注入の際、薬剤を送達する針が薬剤を受容する人の皮膚に穿刺されている間に、二つのシリンジ間で接続を交換しなくてはならない。ユーザは、皮膚が穿刺されている間、注入中に針が静脈から引き抜かれることが無いように、針チューブを極めて慎重に取り扱わなくてはならない。薬剤が静脈外に送達された場合、通常所望の効果は得られないので、注入の間を通じて針が静脈内に留まっていることが必須である。
上述の問題を解決するために、二つ以上のバイアルの内容物をプールするためのシステムが提供されている。そのようなシステムでは、所望の投与量を構成する各バイアルからの薬剤は、薬剤の全投与量を保持するのに十分に大きな体積を有する共通のリザーバ、容器又はシリンジ内に回収される。続いて、この投与量は共通のリザーバ、容器又はシリンジから送達される。このようなプールシステムの欠点は、所望の投与量を送達する前に多数のステップを実施しなくてはならないことである。つまり、所望の数の別個のバイアルから薬剤を回収し、続いて前記共通のリザーバ、容器又はシリンジに加えなくてはならない。これは面倒なことであり、プールシステムによっては、針刺し事故のリスク、及び／又は薬剤及び／又はバイアル／容器の様々な表面が汚染されるリスクがある。したがって、追加ステップを行う必要なく上述の問題を解決できることが望ましい。
【０００３】
発明の概要
よって、本発明の課題は、簡単な方式で、単一のバイアルの内容量を超過する薬剤の投与量を集めることができる薬剤送達装置を提供することである。
本発明の更なる課題は、単一のバイアルの内容量を超える薬剤の投与量を集める際に汚染のリスクを低減する薬剤送達装置を提供することである。
【０００４】
本発明の更に別の課題は、液体薬剤の所望の投与量を送達することができる装置を構成することが可能な薬剤送達装置を提供することである。
本発明の更に別の課題は、単一のバイアルの内容量を超える薬剤の投与量を送達する装置アセンブリを提供することである。
【０００５】
本発明の第１の態様によれば、上述の及び他の課題は、液体薬剤をユーザに送達するための装置であって、
−  液体を収容するリザーバ、
−  乾燥薬剤を収容する容器、
−  前記容器と前記リザーバの間に流体接続を確立することにより、前記リザーバから前記容器へと液体を通過させて液体薬剤を提供することができる手段、
−  前記装置から液体薬剤を送達するための出口、及び
−  前記装置を、一つ以上の他の少なくとも実質的に同一の装置に、各装置が共通の出口と流体接続するように接続することにより、前記共通の出口を介して各装置から液体薬剤を送達することを可能にする手段
を備えている装置を提供することによって達成される。
リザーバは、液体の収容に適したあらゆる種類のリザーバであってよく、このようなリザーバには、バイアル、容器、可撓性のリザーバ、例えばバッグ、シリンジ等が含まれる。
【０００６】
前記装置は、乾燥薬剤を収容する容器、及び容器とリザーバの間の流体接続を確立する手段を更に備えており、これにより、リザーバから容器へ液体を通過させ、液体薬剤を供給することが可能となる。よって、薬剤は、最初は乾燥状態であり、つまり送達できるようになる前に再構成しなくてはならない。乾燥薬剤は、例えば、凍結乾燥された薬剤、粉末、錠剤、顆粒等であってよい。薬剤を再構成する際、乾燥薬剤を収容する容器に液体を加え、薬剤を液体中に溶かし、これにより液体薬剤を形成する。この時点で、薬剤を受容する人に液体薬剤を送達することができる。液体薬剤は、容器から直接送達することができる。その場合、装置は、好ましくは、他の少なくとも実質的に同一の装置に、各容器が共通の出口と流体接続するように接続されるように構成されている。
【０００７】
別の実施形態として、液体薬剤は、再構成後且つ液体薬剤の送達の前に、リザーバに戻すことができる。この場合、装置は、好ましくは、各リザーバが共通の出口と流体接続するように、他の少なくとも実質的に同一の装置に接続される。
このように、液体は最初リザーバ内に収容されている。所定の投与量の薬剤を送達したいとき、容器とリザーバの間に流体接続を確立し、液体を容器に輸送する。薬剤が再構成されたら、再構成された薬剤をリザーバに戻すことができる。薬剤の再構成は、所望の数の装置が接続される前に行うこともできるし、装置が接続されている間に行うこともできる。
【０００８】
出口の開口は、装置の内部と外部との通路を形成する。出口の開口は、液体薬剤を収容する装置の部分、例えば上述の容器又はリザーバと流体接続していなくてはならない。別の実施形態では、少なくとも、装置内に収容されている液体薬剤を、装置から出口の開口を介して送達することができるように、そのような接続を確立することができなくてはならない。
この装置は、当該装置を、一つ以上の他の少なくとも実質的に同一の装置に接続する手段を備えている。他の装置は、本発明の第１の態様による装置に接続可能でなくてはならないという意味で、且つ液体薬剤を収容する部分、例えば容器又はリザーバを備えていなくてはならないという意味で、当該装置と同一でなければならない。好ましくはこれらの装置は同一であるが、装置の接続性に影響を与えない限り差異があってもよい。本装置が少なくとも一つの他の装置に接続されており、装置のそれぞれが共通の出口と流体接続している。これにより、この共通の出口は、各装置から、順に又は混合された薬剤の投与量をまとめて、液体薬剤を送達することができる。
【０００９】
装置が一つ以上の他の少なくとも実質的に同一の装置に接続可能であることにより、単に接続される装置の数を選択するだけで、所望の大きさの液体薬剤の投与量が形成されるという大きな柔軟性を装置が持つことになるので有利である。よって、比較的少ない投与量の薬剤が望まれる場合、単一の装置を使用することができる。つまり、接続手段を使用せずに、装置を通常の方式でそれ自体のみで使用することができる。しかし装置は、一つ、二つ、三つ、四つ又は他の任意の数の他の装置と組み合わせて使用することもでき、これにより、接続された個々の装置によって形成される一つの組み合わせられた装置から送達可能な、２倍、３倍等の投与量の液体薬剤を形成することができる。よって、本装置は、所望の投与量の薬剤を形成するための送達装置をカスタマイズする「ビルディングブロック」として使用することができる。したがって、投与量を受容する人の皮膚に注入針を刺している間に装置又はリザーバを交換する必要なく、所望の大きさの液体薬剤の投与量を送達することができる。
本装置は、他の少なくとも実質的に同一の装置の出口に接続可能な入口の開口を更に備えることができる。この場合、出口の開口は、隣接する装置の入口開口に接続することができ、これにより、装置が直列に接続される。したがって、このような方式で相互に接続できる装置の数には制限がない。
【００１０】
装置は、当該装置を外部の操作ユニットに接続する手段、及びこの外部の操作ユニットから、当該装置に接続された他の少なくとも実質的に同一の装置へと操作力を伝達する手段を更に備えることができ、これにより、外部操作ユニットは当該装置及びそれに接続されている装置を操作することができる。これにより、相互接続されている多数の装置全てを、単一の外部操作ユニットによって操作することができる。これは、例えば装置がポンプによって駆動される場合に望ましく、これにより、運動能力の低い及び／又は器用でない人、例えば高齢者又は子供にとって操作が容易となる。この実施形態によれば、全ての装置を操作するために、単一の外部操作ユニットを設けるだけでよい。このような操作ユニットは典型的には再利用可能であり、装置は使い捨て可能である。
操作力を伝達する手段は、機械的、空圧的又は液圧的な力を伝達する機構を備えることができる。機械的な伝達機構は、物理的な接続、例えばドライブシャフト、又は楔を介して接続されている線形アクチュエータから構成することができる。空圧的又は液圧的力の伝達機構は、シリンダ内でピストンを押す手段から構成することができ、これにより、例えばリザーバから乾燥薬剤を収容するバイアルへと液体を押し出す、又はリザーバから共通の出口に向かって液体薬剤を押し出す。ピストンは、例えば、圧縮された空気又は液体によって押すことができる。
【００１１】
別の構成又は追加的構成として、操作力を伝達する手段はトルクを伝達することができる。当該手段は例えば、別の装置に配置された、少なくとも実質的に同一の回転シャフトに係合する回転シャフトの形態とすることができ、この場合、シャフトの一つが回転運動を行なうと、これに対応して係合するシャフトが回転する。これは例えば、嵌り合う駆動表面の組又は各シャフトに配置された噛み合う歯列の組によって得ることができる。
よって、操作力を伝達する手段は、他の少なくとも実質的に同一の装置に配置されたドライブシャフトに係合する、少なくとも一つのドライブシャフトを備えることができる。
【００１２】
別の構成では、操作力を伝達する手段は線形運動を伝達することができる。
外部操作ユニットは、モータ、例えば電気モータ、液圧式モータ、空圧式モータ又は機械式モータ、例えばばねによって駆動されるモータを備えていてよい。モータは、有利には、ドライブシャフトを駆動させるために使用することができる。
【００１３】
別の構成では、操作ユニットは、圧力生成手段、例えばガスカートリッジを備えていてよく、このカートリッジが装置を操作することができる。或いは、操作ユニットは、張力を蓄積できるばねであってよい。後でこの張力が解放されるとき、これにより回転力又は直線方向の力が装置に伝達される。或いは、操作ユニットはバッテリを備えていてよく、このバッテリを使用して各装置に配置された別々のモータを駆動させることができる。
【００１４】
本発明の第２の態様によれば、上述の及び他の課題は、本発明の第１の態様による装置を少なくとも二つ備え、これらの装置が、各装置から共通の出口を介して液体薬剤が送達されるように、相互に接続されていている装置アセンブリを提供することによって解決される。
当業者であれば、本発明の第１の態様と共に説明したいかなる特徴も、本発明の第２の態様と組み合わせることができ、またその逆も可能であることを容易に認識するであろう。
【００１５】
上述のように、装置は直列に接続することができる。
本装置アセンブリは、外部操作ユニットに接続する手段を更に備えることができ、装置間の接続は、装置間で操作力を伝達する手段を含んでいてよく、これにより、外部操作ユニットからの操作力が各装置へと伝達可能となる。これは、上述でも説明した。
【００１６】
本装置アセンブリは、共通の出口からユーザへ薬剤を送達する薬剤送達手段を更に備えることができる。この薬剤送達手段は、共通の出口に着脱可能に取付けられている共通のリザーバを備えることができる。この場合、接続された装置から得られる薬剤の合計投与量は、共通の出口を介して共通のリザーバに集められる。次いで、この共通のリザーバは装置アセンブリから取り外され、続いて投与量が共通のリザーバから送達される。共通のリザーバは、シリンジ、可撓性のリザーバ、例えばバッグ又は他の任意の適切な種類のリザーバとすることができる。共通のリザーバが装置アセンブリから取り外されたとき、有利には、薬剤が共通のリザーバ内に回収されている間に、共通のリザーバを装置アセンブリに接続していた入口／出口の開口に針を取り付けることができる。共通のリザーバ及び針は、一つ以上のチューブを介して接続することができる。
別の構成では、薬剤送達手段は、注入針、例えば、場合によっては一つ以上のチューブを介して装置アセンブリに直接取り付けられている翼状針を備えることができる。この場合、薬剤は、装置アセンブリから薬剤を受容する人へと直接送達される。
【００１７】
以下、添付図面を参照しながら本発明について更に詳細に説明する。
図面の詳細な説明
図１は、人に液体薬剤を送達するための装置１の斜視図である。装置１は、バイアルアダプタ３内に配置されているバイアル２及びシリンジアダプタ５内に配置されているシリンジ４を備えている。バイアル２は、乾燥薬剤、例えば凍結乾燥された薬剤を収容しており、シリンジ４は、バイアル２内に収容されている乾燥薬剤を再構成するのに適した液体を収容している。装置１には更に、バイアル２とシリンジ４の間、シリンジ４と出口開口７の間、及び入口開口８と出口開口の間の流体接続を確立又は遮断するように操作可能なセレクタ６が設けられている。これについては、以下で更に説明する。
【００１８】
入口開口８は、同一の別の装置１の出口開口７に接続可能であり、出口開口７は、同一の別の装置１の入口開口８に接続可能である。これにより、所望の数の同一の装置１を、入口開口８及び出口開口７を介して直列に接続することができる。これについては、図２を参照して以下で更に説明する。
図１の装置１は、有利には、以下の方式で操作することができる。装置１は、好ましくは、図１に示すように、つまり、シリンジアダプタ５内に配置された、液体を収容するシリンジ４と、バイアルアダプタ３内に配置された、乾燥薬剤を収容するバイアル２とを備えた形で提供される。別の構成では、バイアル２及び／又はシリンジ４は別個に提供され、この場合、ユーザは、装置１を使用する前に、バイアル２及び／又はシリンジ４を、関連するアダプタ３、５内に配置しなくてはならない。
【００１９】
装置１の薬剤を送達したい時、セレクタ６を、シリンジ４とバイアル２の間で流体接続が確立されるように設定する。これにより、シリンジ４の可動ピストン９が押され、確立された流体接続を介してシリンジ４からバイアル２へと液体が押し出される。これにより、バイアル２内の乾燥薬剤を再構成することができ、続いて可動ピストン９を引き出すことにより、再構成された薬剤がシリンジ４へと押し戻される。ここで、薬剤が送達できる状態となる。送達は、シリンジ４と出口開口７の間に流体接続が確立される位置にセレクタ６を配置することと、続いて可動ピストン９を押すことにより、再構成された薬剤を、送達のために出口開口７に向かって押し出すこととによって行われる。
【００２０】
図２は、本発明の一実施形態による装置アセンブリ１０の斜視図である。装置アセンブリ１０は、図１に示す装置と同一の装置１を三つ含む。これらの三つの装置１は、上述のように、それらの入口開口８及び出口開口７を介して相互に接続されている。注入装置、例えば翼状針が取り付けられているチューブを、他の装置１の入口開口８に接続されていない出口開口７に取り付けることが可能である。よって、各バイアル２から、再構成された薬剤が対応するシリンジ４に戻されたら、三つのバイアル２全てに収容された薬剤の合計量に対応する再構成された薬剤の投与量を、出口開口７を介して人に送達することができる。送達は、順に、つまりユーザが選択した順序で、ユーザがシリンジ４のピストン９を順番に押すことにより、一度に一つのバイアル２の薬剤を送達するか、又は同時に、つまりユーザが三つのピストン９を同時に押すことにより、三つ全てのバイアル２からの全投与量を同時に送達することにより行われる。このように、図２に示す装置アセンブリ１０を使用して、三つの異なるバイアル２から得られる薬剤の投与量を、注入針に取り付けられたチューブを他の装置へと動かす必要なしに且つ共通のリザーバ又はシリンジに三つのバイアル２から薬剤を集める必要なしに、送達することができる。更に、所望の数の個々の装置１を相互に接続することができ、この個々の装置１は、一つ以上の他の装置１に接続することなく通常の方式で使用することができる。よって、システムは極めてフレキシブルである。
【００２１】
図３は、本発明の一実施形態による装置アセンブリ１０及びこの装置アセンブリ１０を格納するボックス１１の斜視図である。このボックス１１は、三つの装置１を収納するのに十分な大きさを有する。ボックス１１には、二つの取り外し可能な壁部１２が設けられている。装置アセンブリ１０がボックス１１に収納した状態で提供される場合、壁部１２が挿入され、個々の装置１は相互に接続されない。薬剤の投与量を送達したい時には、ボックス１１を開け、必要な数の装置１をボックス１１から取り出し、接続して装置アセンブリ１０を形成する。このとき、薬剤の投与量は上述のように送達される。使用後、取り外し可能な壁部１２は取り外すことができる。これにより、ボックス１１の内部は、装置アセンブリ１０を形成する相互に接続された三つの装置１を収納するのに十分に大きな一つの体積となっている。よって、使用済みの装置アセンブリ１０をボックス１１内に配置することができ、使用済みの装置アセンブリ１０を収容するこのボックス１１は廃棄することができる。図３に示すボックス１１は、厚紙のボックス１１であり、壁部１２は、予め穴開けされた線に沿って壁部１２を切り裂くことによって取り外し可能となっている。
【００２２】
図４は、装置を格納するためのボックス１１の別の実施形態を示す。このボックス１１は、同一の別のボックス１１に接続可能である。これにより、図３に示すものと同様の一つの大きなボックス１１を構成することができる。図４のボックス１１は、プラスチック材料からなっている。壁部１２は、ホルダ１３に沿って摺動させることによって取り外し可能である。
【００２３】
図５は、本発明の一実施形態による装置アセンブリ１０の斜視図である。装置アセンブリ１０は、三つの個々の装置１を含む。装置１の一つ１ａは、操作ユニット１４に連結されている。更に、チューブ１５が装置１ａの出口開口７に接続されている。チューブ１５は更に、薬剤を受容する人の皮膚を穿刺するための翼状針１６に接続されている。二つの追加的な個々の装置１ｂ、１ｃは相互に接続されているが、装置１ａからは取り外されている。操作ユニット１４は、アームレット１７により、薬剤を受容する人の腕に取り付けることができる。
図５の装置アセンブリ１０は、有利には、以下の方式で操作することができる。所望の数の個々の装置１を上述のように接続し、一つの装置１ａを操作ユニット１４に接続する。操作ユニット１４には、個々の装置１内に配置されたピストン又はポンプを操作するためのモータが設けられており、つまり、モータが装置１からチューブ１５内へと液体薬剤を駆動する。次いで装置アセンブリ１０を、チューブ１５及び翼状針１６を介して薬剤を受容する人に接続する。操作ユニット１４のスイッチを入れて、液体薬剤を装置１から人に送達する。
【００２４】
図６は、本発明の別の実施形態による装置アセンブリ１０の斜視図である。この装置アセンブリ１０は、三つの個々の装置１を含み、装置１のそれぞれがマニホルド１８内に配置されている。マニホルド１８は、各装置１のリザーバと共通の出口１９の間に流体接続を確立する。送達手段、例えば針に接続されているチューブ、例えば翼状針、共通のリザーバ等を、共通の出口１９に取り付けることができる。これにより、例えば二つ以上の個々の装置１の出口間で送達手段を動かす必要なしに、三つの個々の装置１の内容量の合計に相当する薬剤の投与量を、装置アセンブリ１０から送達することができる。よって、図６に示す実施形態では、装置１はマニホルド１８を介して接続可能である。
【００２５】
図７は、本発明の更に別の実施形態による装置アセンブリ１０の斜視図である。この装置アセンブリ１０は、乾燥薬剤を収容する三つのバイアル２及び液体を収容する三つのリザーバ２０を備えている。乾燥薬剤は、リザーバ２０内に発生させた圧力及び／又はバイアル２内に形成した真空により、リザーバ２０から対応するバイアル２内へと液体を押し出すことによって再構成される。別の構成では、液体は、共通の出口１９に接続されているシリンジ２１を介してバイアル２内へと押し出すことができる。共通の流体接続によって、共通の出口１９と、リザーバ２０及びバイアル２のそれぞれの間に接続を確立することができる。よって、単一の装置アセンブリ１０を使用し、シリンジ２０を一つだけ備えた一つの共通の出口１９を介して、ユーザが三つのバイアル２から再構成を行うことができる。
【図面の簡単な説明】
【００２６】
【図１】本発明の一実施形態による装置の斜視図である。
【図２】図１の装置を三つ接続して形成した本発明の一実施形態による装置アセンブリの斜視図である。
【図３】本発明の一実施形態による装置アセンブリ及びこの装置アセンブリを格納するためのボックスの斜視図である。
【図４】一つの装置を格納するためのボックスの斜視図である。
【図５】操作ユニットが連結された本発明の実施形態による装置アセンブリの斜視図である。
【図６】本発明の別の実施形態による装置アセンブリの斜視図である。
【図７】本発明の更に別の実施形態による装置アセンブリの斜視図である。
【図１】
2009529995.tif 000003
【図２】
2009529995.tif 000004
【図３】
2009529995.tif 000005
【図４】
2009529995.tif 000006
【図５】
2009529995.tif 000007
【図６】
2009529995.tif 000008
【図７】
2009529995.tif 000009
【国際調査報告】
2009529995.tif 000010
2009529995.tif 000011
2009529995.tif 000012